(57)【特許請求の範囲】
【請求項１】
棚板の下面における前部および後部に、互いに平行に延びる開口としてのレールを設け、該両レールに、線材からなるブックサポートの上端水平部をそれぞれ弾性付勢させることで、その直下の棚板上に並立している書籍類の倒れを防ぐようにした書棚のブックサポート装置において、
前記レール所定箇所に、少なくとも先端部が前記レール内方に向かって水平に延びる係止片を設けるとともに、前記ブックサポートの前後の水平部に嵌挿可能な樹脂製の係合部材の一部として、各々ほぼ水平方向に張り出す係合部が形成され、前記ブックサポートの水平部と前記係合部材間に回動防止手段が設けられており、前記係合部を前記レールに形成された係止片に係止することで、ブックサポートを棚板の下面に取付け可能としたことを特徴とする書棚のブックサポート装置。
【請求項２】
前記係合部の先端が下方に屈曲形成され、かつレール内に形成された係止片の先端が略上方に屈曲形成されている請求項１に記載の書棚のブックサポート装置。
【請求項３】
前記係止片の下面所定箇所、もしくは係合部の上面所定箇所の少なくともいずれか一方に、前記係合部をレール開口内に案内する案内部が形成されている請求項１または２に記載の書棚のブックサポート装置。
【発明の詳細な説明】
【０００１】
【発明の属する技術分野】
本発明は、棚板の下面の左右長手方向に、下面が開口するレールを設け、該レールに金属線杆を屈曲成形したブックサポートの前後の水平部をそれぞれ前後方向に弾性付勢させることで、その直下の棚板上に並立している書籍類の倒れを防ぐようにした書棚のブックサポート装置に関する。
【０００２】
【従来の技術】
従来のこの種のブックサポート装置としては、例えば図８に示されるように、金属線杆を屈曲成形したブックサポート０１を図９に示されるような棚板０２の下面に設けられた下面が開口する凹溝を有するレール０３内に弾性付勢させることにより、取付けることが出来るようにしたもの等がある。
【０００３】
このブックサポート装置を簡単に説明すると、前記ブックサポート０１は、前記棚板０２の下面に垂下される垂直部０４と、該垂直部０４の上部より連設され、前記棚板０２の前後方向に延びる第１水平部０５と、該第１水平部０５より連設され、棚板０２の左右方向に延びる第２水平部０６とから構成されている。
【０００４】
前記レール０３は、棚板０２の下面に溶着された係止部材０８からなり、この係止部材０８は外側板０８ａとその下面の係止板０７より形成されている。
【０００５】
そしてこのように形成されるブックサポート０１は、使用者が図９中一点鎖線に示すように、垂直部０４上部を弾性変形させ、第１、第２水平部０５、０６をレール０３内に挿入した後に手を離すことにより、第２水平部０６が外側板０８ａ方向に拡開し、かつ前記第２水平部材０６が係止板０７上に係止されることにより、レール０３に取付けることが出来るようになっている。
【０００６】
【発明が解決しようとする課題】
しかしながら、このようなブックサポート装置のブックサポート０１をレール０３に確実に取付けるには、係止片０７の長さＬ’を少なくとも第２水平部０６を構成する金属線杆の断面直径幅分確保する必要がある。
【０００７】
このため、ブックサポート０１の着脱時に繰り返し線杆に大きな弾性変形が加えられることになり、次第に線杆の弾性が失われ、たえず線杆の曲げ戻しを行わなければならなかった。
【０００８】
また、このブックサポート０１のレールへの着脱に際し、前記大きな変形量は使用者にとって煩雑なものであった。
【０００９】
本発明は、この問題を解決するためになされたもので、レールへの着脱が容易で、かつ書籍等を傾かせることなく、メンテナンスを軽減することが出来るブックサポート装置を提供することを目的としている。
【００１０】
【課題を解決するための手段】
上記問題を解決するために、本発明の書棚のブックサポート装置は、棚板の下面における前部および後部に、互いに平行に延びる開口としてのレールを設け、該両レールに、線材からなるブックサポートの上端水平部をそれぞれ弾性付勢させることで、その直下の棚板上に並立している書籍類の倒れを防ぐようにした書棚のブックサポート装置において、
前記レール所定箇所に、少なくとも先端部が前記レール内方に向かって水平に延びる係止片を設けるとともに、前記ブックサポートの前後の水平部に嵌挿可能な樹脂製の係合部材の一部として、各々ほぼ水平方向に張り出す係合部が形成され、前記ブックサポートの水平部と前記係合部材間に回動防止手段が設けられており、前記係合部を前記レールに形成された係止片に係止することで、ブックサポートを棚板の下面に取付け可能としたことを特徴としている。
この特徴によると、ブックサポートは、該ブックサポートの水平部に形成される係合部をもって、レール内所定箇所に形成される係止片に係合させることでレールに係着できるので、ブックサポートのレールへの取付時の弾性変形ストローク幅を最小限に抑えることが可能となる。また、ブックサポートの前後の水平部に嵌挿可能な樹脂製の係合部材の一部として、各々ほぼ水平方向に張り出す係合部が形成され、ブックサポートの水平部と係合部材間に回動防止手段が設けられているので、レールの内側や棚板の下面を傷つけることがなくなるとともに、係合部材がみだりに回動し、逸脱する恐れがなくなる。
【００１１】
本発明の書棚のブックサポート装置は、係合部の先端が下方に屈曲形成され、かつレール内に形成された係止片の先端が略上方に屈曲形成されていることが好ましい。
このようにすることで、ブックサポートの水平部の水平方向への移動が規制されるため、係合部と係止片との係合力が増大する。
【００１３】
本発明の書棚のブックサポート装置は、係止片の下面所定箇所、もしくは係合部の上面所定箇所の少なくともいずれか一方に、前記係合部をレール開口内に案内する案内部が形成されていることが好ましい。
このようにすることで、ブックサポートの水平部をレール下面に押しあてるようにして、ブックサポートを下方から押圧するだけでブックサポートをレールに容易に取り付けることが可能となる。
【００１４】
【発明の実施の形態】
以下、本発明の実施例を図面に基づいて説明していくと、まず図１には一部を切り欠いた本発明の書棚１をやや下方から見た斜視図が示されており、この書棚の側板２の相対向する内側には、例えば外周にローレットを施したナット３が２列に一定の間隔を以て固く埋め込まれている。このナット３には円筒形の棚受け具４がねじ込まれている。尚、９、１０はそれぞれ前記書棚１の天板、背板を示している。
【００１５】
各棚板５には、棚板５の左右方向の全長にわたって下面が開口する凹溝を有する前後２本の金属等又は合成樹脂からなるレール６、７が前後に設けられており、該レール６、７の凹溝内には、直下の棚板（図示略）上に並列される書籍類が倒れるのを防ぐブックサポート８がそれ自体の弾性力をもって取付けられている。
【００１６】
本実施の形態における前記ブックサポート８は、特に図２に示されるように棚板５の下面より垂下される垂直部１１と、該垂直部１１上部より略直角に屈曲形成され、前記レール６、７の長手方向に対して並行に延びる水平部１２とを構成する金属線杆からなり、前記水平部１２の上面所定箇所には、回動防止手段としてのキー溝１３が形成されている。
【００１７】
前記キー溝１３が形成された水平部１２には、各々外方に、後述するレール６、７所定箇所に形成される係止杆に係合可能な係合部１４を有する合成樹脂製の係合部材１５が嵌装されている。この係合部材１５は、前記水平部１２に形成されたキー溝１３により水平部１２に対する回動が規制されている。
【００１８】
前記レール６、７は、図３、図４に示されるように棚板５の下面に形成される凹溝内に嵌合される断面略コ字状の樹脂部材からなり、この樹脂部材の下端にはそれぞれ断面略Ｊ字状の係止片１６、１６’が互いに対向するように形成されている。
【００１９】
以下、このように形成されるブックサポート装置のブックサポート８のレール６、７への取付け方法を図２〜図４を用いて説明すると、まず図２に示されるように、通常時におけるブックサポート８の両水平部１２、１２間の距離Ｌ１は、図３及び図４に示される両レール６、７それぞれの外側板６ａ、７ａ下端に内向きに形成される係止片１６、１６の内径Ｌ２よりも若干長めに形成されているため、使用者は前記ブックサポート８の垂直部１１の上部を内側に若干弾性変形させるようにして、ブックサポート８の係合部材１５を該係合部材１５の上端がレール６、７上面に当接する位置まで（あくまで目安である）レール６、７の凹溝６ｂ、７ｂ内に挿入する（図３参照）。
【００２０】
そして前記係合部材１５の上端がレール６、７上面に当接した時点で手を離すと、係合部１４の下面１４ａが係止片１６の上端に嵌合され、かつ、係合部材１５の側面１５ａが係止片１６方向に弾性付勢されることで、ブックサポート８はレール６、７内に取り付けられる（図４参照）。
【００２１】
ここで前記ブックサポート８は、係合部１４と係止片１６との係合によりブックサポート８の下方向への逸脱が防止される。
【００２２】
このように本発明のブックサポート装置にあっては、ブックサポートは、該ブックサポートの水平部に形成される係合部をもって、レール内所定箇所に形成される係止片に係合されるのみであるため、ブックサポートのレールへの取付時の弾性変形ストローク幅を最小限に抑えることが可能となり、ブックサポートが弾性力を容易に失うことがない。さらに、ブックサポートを構成する線材自体の直径を大きくしてより強度を持たせることも可能となる。また、このことはレール幅を短寸に設計できることにもなる。
【００２３】
図５には本発明の他の実施の態様が示されており、このように係止片１６をレール６の左右いずれか一方のみに形成し、かつ、レール６の開口Ｌ３幅を前述の実施の形態に示されるレールの開口よりも短寸とすることもできる。すなわち、開口Ｌ３は少なくとも係合部材１５の横幅よりも若干長寸に設けてあればよい。
【００２４】
次に図６には係合部材１５および係止片１６の他の実施の様態が示されている。このように係合部材１５の係合部１４は、少なくともレールの係止片１６上に係止されるようになっていればよく、係合部１４および係止片１６は平坦でも十分である。
【００２５】
さらに図７に示されるように、レール６に形成される係止片１６の内側下方に傾斜面１８を形成するとともに、係合部材１５の係合部１４の上面に傾斜面１７をそれぞれ形成することで、係止片１６方向に弾性付勢される係合部材１５が凹溝６ｂ内に案内される。このようにすれば、ブックサポート８の水平部１２をレール７の下面に当てて、ブックサポート８を下方から押上げるだけで、係止杆１６と係合部１４とが自動的に係合されるため、よりスムーズで容易な取付が可能となる。
【００２６】
以上、本発明の実施の形態を図面を用いて説明してきたが、本発明は、上記実施の態様に限定されるものではなく、種々の実施形態を取り得る。
【００２７】
例えば、本実施の形態におけるブックサポートは、全てレールの外側板方向に付勢されるようにして取り付けられているが、内側板方向に付勢して取り付けるようになっていても良い。
【００２８】
また、係止片及び係合部材の、特に係合部の形状は上述の実施の態様のものに限られるものではなく、種々に変形可能であり、また実施例では垂直部１１や水平部１２からなる芯材に金属線杆を利用しているが、係合部材１５とともに全てプラスチックで一体に作ることも可能である。
【００２９】
【発明の効果】
本発明によれば、次のような効果が得られる。
【００３０】
（ａ）請求項１の発明によれば、ブックサポートは、該ブックサポートの水平部に形成される係合部をもって、レール内所定箇所に形成される係止片に係合させることでレールに係着できるので、ブックサポートのレールへの取付時の弾性変形ストローク幅を最小限に抑えることが可能となる。また、ブックサポートの前後の水平部に嵌挿可能な樹脂製の係合部材の一部として、各々ほぼ水平方向に張り出す係合部が形成され、ブックサポートの水平部と係合部材間に回動防止手段が設けられているので、レールの内側や棚板の下面を傷つけることがなくなるとともに、係合部材がみだりに回動し、逸脱する恐れがなくなる。
【００３１】
（ｂ）請求項２の発明によれば、ブックサポートの水平部の水平方向への移動が規制されるため、係合部と係止片との係合力が増大する。
【００３３】
（ｃ）請求項３の発明によれば、ブックサポートの水平部をレール下面に押しあてるようにして、ブックサポートを下方から押圧するだけでブックサポートをレールに容易に取り付けることが可能となる。
【００３４】
【図面の簡単な説明】
【図１】本発明の適用される書棚を示す一部破断斜視図である。
【図２】ブックサポートの斜視図である。
【図３】図２のブックサポートの棚板への取付け方法を示す要部拡大断面図である。
【図４】同じく図２のブックサポートの棚板への取付け方法を示す要部拡大断面図である。
【図５】本発明の他の実施の態様を示す断面図である。
【図６】同じく本発明の他の実施の態様を示す断面図である。
【図７】同じく本発明の他の実施の態様を示す断面図である。
【図８】従来のブックサポートを示す斜視図である。
【図９】図８のブックサポートの取付け方法を示す要部拡大断面図である。
【符号の説明】
１          書棚
２          側板
３          ナット
４          棚受け具
５          棚板
６、７      レール
６ａ、７ａ  外側板
６ｂ、７ｂ  凹溝
８          ブックサポート
９          天板
１０          背板
１１          垂直部
１２          水平部
１３          キー溝
１４          係合部
１４ａ        下面
１５          係合部材
１５ａ        側面
１６、１６’  係止片
１７、１８    傾斜面（案内部）
【図１】
0003614989.tif 000002
【図２】
0003614989.tif 000003
【図３】
0003614989.tif 000004
【図４】
0003614989.tif 000005
【図５】
0003614989.tif 000006
【図６】
0003614989.tif 000007
【図７】
0003614989.tif 000008
【図８】
0003614989.tif 000009
【図９】
0003614989.tif 000010